(57)【要約】      （修正有）【課題】扇風機パワーヘッドが上下左右にスイング可能で、それにより室内の空気を均一にする空気循環扇風機の構造を提供する。【解決手段】支持台１００とネットカバー２００と扇風機パワーヘッド３００とネット蓋４００とを備え、支持台上端に接続ヘッド１１０が設けられ、接続ヘッドにスイング部材５００が枢着され、ネットカバーにスイング部材に枢着の接続支持部材６００が設けられ、スイング部材と接続支持部材との接続枢軸は、接続ヘッドとスイング部材との接続枢軸に垂直であり、接続ヘッド先端部にトグル孔１０１が設けられ、ネットカバー内に装着チャンバが設けられ、扇風機パワーヘッドは装着チャンバのネット蓋に近い一端に固設され、装着チャンバにモーター７００とトグルギア８００が設けられ、モーター回転軸に駆動ギア７１０が設けられ、駆動ギアがトグルギアと噛合し、トグルギアにトグル孔内突出のレバー８１０が設けられ、レバーはトグルギア軸心に対して偏心配置される。【選択図】図１
0003226152.tif 000002
【実用新案登録請求の範囲】
【請求項１】
空気循環扇風機構造であって、支持台と、ネットカバーと、扇風機パワーヘッドと、ネット蓋とを備え、前記ネット蓋は、前記ネットカバーの開口端を閉蓋し、前記支持台の上端に接続ヘッドが設けられ、前記接続ヘッドにスイング部材が枢着され、前記ネットカバーに前記スイング部材に枢着された接続支持部材が設けられ、前記スイング部材と前記接続支持部材とを接続する枢軸は、前記接続ヘッドと前記スイング部材とを接続する枢軸と互いに垂直であり、前記接続ヘッドの先端部にトグル孔が設けられ、前記ネットカバー内に装着チャンバが設けられ、前記扇風機パワーヘッドは前記装着チャンバの前記ネット蓋に近い一端に固設され、前記装着チャンバ内にモーターとトグルギアが設けられ、前記モーターの回転軸に駆動ギアが設けられ、前記駆動ギアが前記トグルギアと噛み合い、前記トグルギアに前記トグル孔内に突出するレバーが設けられ、前記レバーは、前記トグルギアの軸心に対して偏心した状態で配置されることを特徴とする空気循環扇風機構造。
【請求項２】
前記ネットカバー内に囲み板が設けられ、前記囲み板と前記ネットカバーにより開口部を有する前記装着チャンバが囲まれ、前記装着チャンバの端部に前記装着チャンバの開口端に向かって延びる複数の支持柱が設けられ、前記装着チャンバ内に固定装着板が設けられ、前記固定装着板は前記支持柱に固定的に支持され、前記モーターと前記トグルギアはいずれも前記固定装着板の内側に設けられ、前記接続支持部材の一端は前記固定装着板に固定的に接続され、前記扇風機パワーヘッドは前記装着チャンバの開口端に固設されることを特徴とする請求項１に記載の空気循環扇風機構造。
【請求項３】
前記固定装着板に糸通し孔が設けられ、前記糸通し孔は前記モーターと前記扇風機パワーヘッドの電源線を通すために用いられることを特徴とする請求項２に記載の空気循環扇風機構造。
【請求項４】
前記接続ヘッドはボールジョイントであり、前記ボールジョイントの底部に前記支持台に接続される支持部が延長され、前記スイング部材はボールスリーブであり、前記ボールスリーブは前記ボールジョイントと嵌合し、前記ボールスリーブに逃げ孔が設けられ、前記逃げ孔は前記支持部を回避するために用いられることを特徴とする請求項１に記載の空気循環扇風機構造。
【請求項５】
前記ボールスリーブは、接続部ボールスリーブと、ストッパボールスリーブとを含み、前記ストッパボールスリーブは前記接続部ボールスリーブの上端に接続され、前記ストッパボールスリーブは前記接続部ボールスリーブを前記接続ヘッドにストッピングすることを特徴とする請求項４に記載の空気循環扇風機構造。
【請求項６】
前記ネットカバーの裏側に貫通孔が設けられ、前記貫通孔は前記装着チャンバに連通し、前記接続ヘッドは前記貫通孔を通って前記装着チャンバ内に突出することを特徴とする請求項１に記載の空気循環扇風機構造。
【請求項７】
前記トグル孔の軸線の鉛直方向のなす角度は１８°〜２２°であることを特徴とする請求項１に記載の空気循環扇風機構造。
【請求項８】
前記レバーの軸線と前記扇風機パワーヘッドの軸線とのなす角度は２２°〜２８°であることを特徴とする請求項７に記載の空気循環扇風機構造。
【請求項９】
前記トグル孔は丸孔であり、前記レバーの横断面は楕円状であることを特徴とする請求項７に記載の空気循環扇風機構造。
【請求項１０】
前記支持台内に回転機構がさらに設けられ、前記回転機構は前記扇風機パワーヘッド及び前記ネットカバーを３６０°回転するように駆動するためであることを特徴とする請求項１〜９のいずれか一項に記載の空気循環扇風機構造。
【請求項１１】
前記支持台は、ベースと、支持柱とを含み、前記支持柱の下端が前記ベースに回転可能に接続され、前記支持柱は中空構造であり、前記支持柱の底部に接続柱がさらに設けられ、前記接続柱は前記支持柱の軸心に対して偏心した状態で設けられ、前記回転機構は、前記ベース内に設けられた回転モーターと、前記回転モーターの回転軸に接続された第１のリンクと、一端が前記第１のリンクに回転可能に接続され、他端が前記接続柱に回転可能に接続された第２のリンクとを備えることを特徴とする請求項１０に記載の空気循環扇風機構造。
【請求項１２】
前記扇風機パワーヘッドは、装着ハウジングと、扇風機モーターと、扇風機の羽根とを備え、前記扇風機モーターは前記装着ハウジング内に設けられ、且つ前記扇風機モーターの回転軸は前記装着ハウジングを貫通し、前記扇風機の羽根は前記扇風機モーターの回転軸に設けられ、前記装着ハウジングは前記装着チャンバの端部に固着されることを特徴とする請求項１に記載の空気循環扇風機構造。
【考案の詳細な説明】
【技術分野】
【０００１】
本考案は家電製品の分野に関し、特に空気循環扇風機の構造に関する。
【背景技術】
【０００２】
扇風機は、生活に不可欠な家電製品であり、暑い夏には、使用者に涼しさを与えるために使われている。現在、暑い夏には、冷房内での仕事、休憩、生活が一般的となっている。しかしながら、冷房内の冷気は、通常、部屋の下方にある空気であり、上方の空気は下方の空気よりも温度が比較的高く、空調口に近い空気も他の場所よりも温度が低いため、室内の冷気分布が不均一になる。現在、室内の冷気の不均一な分布の問題を解消するために、室内に空気循環扇風機を設置して、空気循環扇風機により空気内の冷気を可能な限り均一に分布させて、室内全体の温度が近くなるようにする。しかしながら、従来の空気循環扇風機は左右にしかスイングできないため、部屋の上下の空気の流れを実現することが困難であり、室内の冷気の分布が依然として不均一である問題がある。
【考案の概要】
【考案が解決しようとする課題】
【０００３】
本考案は、従来の空気循環扇風機が立体的空間で空気循環を達成できないという課題を解消するための空気循環扇風機の構造を提供することを目的とする。
【課題を解決するための手段】
【０００４】
上記の技術的課題を解決するために、本考案の技術的解決手段は、空気循環扇風機の構造を提供する。前記空気循環扇風機の構造は、支持台と、ネットカバーと、扇風機パワーヘッドと、ネット蓋とを備え、前記ネット蓋は、前記ネットカバーの開口端を閉蓋し、前記支持台の上端に接続ヘッドが設けられ、前記接続ヘッドにスイング部材が枢着され、前記ネットカバーに前記スイング部材に枢着された接続支持部材が設けられ、前記スイング部材と前記接続支持部材とを接続する枢軸は、前記接続ヘッドと前記スイング部材とを接続する枢軸と互いに垂直であり、前記接続ヘッドの先端部にトグル孔が設けられ、
前記ネットカバー内に装着チャンバが設けられ、前記扇風機パワーヘッドは前記装着チャンバの前記ネット蓋に近い一端に固設され、前記装着チャンバ内にモーターとトグルギアが設けられ、前記モーターの回転軸に駆動ギアが設けられ、前記駆動ギアが前記トグルギアと噛み合い、前記トグルギアに前記トグル孔内に突出するレバーが設けられ、前記レバーは、前記トグルギアの軸心に対して偏心した状態で配置される。
【０００５】
さらに、前記ネットカバー内に囲み板が設けられ、前記囲み板と前記ネットカバーにより開口部を有する前記装着チャンバが囲まれ、前記装着チャンバの端部に前記装着チャンバの開口端に向かって延びる複数の支持柱が設けられ、前記装着チャンバ内に固定装着板が設けられ、前記固定装着板は前記支持柱に固定的に支持され、前記モーターと前記トグルギアはいずれも前記固定装着板の内側に設けられ、前記接続支持部材の一端は前記固定装着板に固定的に接続され、前記扇風機パワーヘッドは前記装着チャンバの開口端に固設される。
【０００６】
さらに、前記固定装着板に糸通し孔が設けられ、前記糸通し孔は前記モーターと前記扇風機パワーヘッドの電源線を通すために用いられる。
【０００７】
さらに、前記接続ヘッドはボールジョイントであり、前記ボールジョイントの底部に前記支持台に接続される支持部が延長され、前記スイング部材はボールスリーブであり、前記ボールスリーブは前記ボールジョイントと嵌合し、前記ボールスリーブに逃げ孔が設けられ、前記逃げ孔は前記支持部を回避するために用いられる。
【０００８】
さらに、前記ボールスリーブは、接続部ボールスリーブと、ストッパボールスリーブとを含み、前記ストッパボールスリーブは前記接続部ボールスリーブの上端に接続され、前記ストッパボールスリーブは前記接続部ボールスリーブを前記接続ヘッドにストッピングする。
【０００９】
さらに、前記ネットカバーの裏側に貫通孔が設けられ、前記貫通孔は前記装着チャンバに連通し、前記接続ヘッドは前記貫通孔を通って前記装着チャンバ内に突出する。
【００１０】
さらに、前記トグル孔の軸線の鉛直方向のなす角度は１８°〜２２°である。
【００１１】
さらに、前記レバーの軸線と前記扇風機パワーヘッドの軸線とのなす角度は２２°〜２８°である。
【００１２】
さらに、前記トグル孔は丸孔であり、前記レバーの横断面は楕円状である。
【００１３】
さらに、前記支持台内に回転機構がさらに設けられ、前記回転機構は前記扇風機パワーヘッド及び前記ネットカバーを３６０°回転するように駆動するためである。
【００１４】
さらに、前記支持台は、ベースと、支持柱とを含み、前記支持柱の下端は前記ベースに回転可能に接続され、前記支持柱は中空構造であり、前記支持柱の底部に接続柱がさらに設けられ、前記接続柱は前記支持柱の軸心に対して偏心した状態で設けられ、前記回転機構は、前記ベース内に設けられた回転モーターと、前記回転モーターの回転軸に接続された第１のリンクと、一端が前記第１のリンクに回転可能に接続され、他端が前記接続柱に回転可能に接続された第２のリンクとを備える。
【００１５】
さらに、前記扇風機パワーヘッドは、装着ハウジングと、扇風機モーターと、扇風機の羽根とを備え、前記扇風機モーターは前記装着ハウジング内に設けられ、且つ前記扇風機モーターの回転軸は前記装着ハウジングを貫通し、前記扇風機の羽根は前記扇風機モーターの回転軸に設けられ、前記装着ハウジングは前記装着チャンバの端部に固着される。
【考案の効果】
【００１６】
従来技術と比較して、当該空気循環扇風機の構造は以下の有益な効果を有する。
【００１７】
１、 モーターはトグルギアを回転させて駆動することで、レバーがトグルギアと共に回転するようにし、レバーが回転するとき、トグル孔の孔壁に接触するため、トグル孔はレバーに対してストッパとして機能し、レバーによる前記スイング部材と前記接続支持部材を対応する枢軸の回りに回転するように駆動して、前記スイング部材と前記接続支持部材とを接続する枢軸は、前記接続ヘッドと前記スイング部材とを接続する枢軸と互いに垂直であるため、ネットカバーと扇風機パワーヘッドを上下左右にスイングさせ、それにより扇風機パワーヘッドの運転時に、室内の空気全体の流れを実現し、室内の冷気を均一にする。
２、 モーターによりレバーを駆動し、レバーによりスイング部材と接続支持部材をプッシュすることで、扇風機パワーヘッドをスイングさせ、扇風機パワーヘッドに電力を供給する電線の絡みを回避することができ、扇風機パワーヘッドを無限に循環スイングさせることができる。
【図面の簡単な説明】
【００１８】
【図１】本考案における空気循環扇風機の構造の立体図である。
【図２】本考案における空気循環扇風機の構造の内部構成図である。
【図３】本考案における空気循環扇風機の構造の前記ネットカバーの構成図である。
【図４】本考案における空気循環扇風機の構造の前記支持台の内部の構成図である。
【図５】本考案における空気循環扇風機の構造の前記ネットカバーの左上方に反転した状態図である。
【図６】本考案における空気循環扇風機構造の前記ネットカバーの鉛直方向に反転した状態図である。
【図７】本考案における空気循環扇風機構造の前記ネットカバーの右上方に反転した状態図である。
【考案を実施するための形態】
【００１９】
上記の図面を参照して、以下に具体的な実施形態をさらに説明する。
【００２０】
以下、記述される実施例の基礎をなす概念の完全な理解を提供するために、様々な特定の詳細が説明される。しかしながら、記述された実施例は、これらの特定の詳細の一部又は全部がなくても実施され得ることは、当業者にとって明らかである。その他の場合には、周知の処理ステップは具体的に記述しない。
【００２１】
図１〜図７を参照すると、空気循環扇風機の構造は、支持台１００と、ネットカバー２００と、扇風機パワーヘッド３００と、ネット蓋４００とを備え、前記ネット蓋４００は、前記ネットカバー２００の開口端を閉蓋し、前記支持台１００の上端に接続ヘッド１１０が設けられ、前記接続ヘッド１１０に枢軸５０２によりスイング部材５００が枢着され、前記ネットカバー２００に接続支持部材６００が設けられ、前記接続支持部材６００は枢軸６０１により前記スイング部材５００に枢着され、前記枢軸６０１は、前記枢軸５０２と互いに垂直であり、前記接続ヘッド１１０の先端部にトグル孔１０１が設けられ、前記ネットカバー２００内に装着チャンバ２０１が設けられ、前記扇風機パワーヘッド３００は前記装着チャンバ２１０の前記ネット蓋４００に近い一端に固設され、前記装着チャンバ２１０内にモーター７００とトグルギア８００が設けられ、前記モーター７００の回転軸に駆動ギア７１０が設けられ、前記駆動ギア７００は前記トグルギア８００と噛み合い、前記トグルギア８００に前記トグル孔１０１内に突出するレバー８１０が設けられ、前記レバー８１０は、前記トグルギア８００の軸心に対して偏心した状態で配置される。本実施例では、前記モーター７００は前記トグルギア８００を回転させて駆動することで、前記レバー８１０が前記トグルギア８００と共に回転するようにし、前記レバー８１０が回転するとき、前記トグル孔１０１の孔壁に接触し、前記トグル孔１０１の孔壁をプッシュし、前記トグル孔１０１は前記レバー８１０に対してストッパとして機能し、それと共に孔壁は前記レバー８１０に反力を付勢することで、前記接続支持部材６００を前記枢軸６０２の回りに回転させるように駆動し、前記スイング部材５００は前記枢軸５０２の回りにスイングし、前記枢軸６０１は前記枢軸５０２と互いに垂直であるため、前記ネットカバー２００と前記扇風機パワーヘッド３００を上下左右にスイングさせ、前記扇風機パワーヘッド３００の運転時に、室内の空気全体の流れを実現し、室内の冷気を均一にする。また、前記モーター７００により前記レバー８１０を駆動し、前記レバー８１０により前記スイング部材５００と前記接続支持部材６００をプッシュすることで、前記扇風機パワーヘッド３００をスイングさせ、前記扇風機パワーヘッド３００に電力を供給する電線の絡みを回避することができ、前記扇風機パワーヘッド３００を無限に循環スイングさせることができる。
【００２２】
さらに、図１〜図４を参照すると、前記ネットカバー２００内に囲み板２１０が設けられ、前記囲み板２１０と前記ネットカバー２００により開口部を有する前記装着チャンバ２０１が囲まれ、前記装着チャンバ２０１の端部にその開口端に向かって延びる複数の支持柱２２０が設けられ、前記装着チャンバ２０１内に固定装着板２３０が設けられ、前記固定装着板２３０は前記支持柱２２０に固定的に支持され、前記モーター７００と前記トグルギア８００はいずれも前記固定装着板２３０の内側に設けられ、前記接続支持部材６００の一端は前記固定装着板２３０に固定的に接続され、前記扇風機パワーヘッド３００は前記装着チャンバ２０１の開口端に固設される。
【００２３】
さらに、前記固定装着板２３０に糸通し孔（図示せず）が設けられ、前記糸通し孔は前記モーター７００と前記扇風機パワーヘッド３００の電源線を通すために用いられる。本実施例では、糸通し孔により電源線を整理して、前記ネットカバー２００と前記扇風機パワーヘッド３００、及び前記モーター７００がスイングする際に電線が絡まる問題を回避する。
【００２４】
さらに、図１、図２、及び図４を参照すると、前記接続ヘッド１１０はボールジョイントであり、前記ボールジョイントの底部に前記支持台１００に接続される支持部１２０が延長され、前記スイング部材５００はボールスリーブであり、前記ボールスリーブは前記ボールジョイントと嵌合し、前記ボールスリーブに逃げ孔５３０が設けられ、前記逃げ孔５３０は前記支持部１２０を回避するために用いられる。ボールスリーブとボールジョイントとの嵌合により、前記スイング部材５００と前記接続ヘッド１１０との支持強度が増し、前記スイング部材５００のスイングがよりスムーズになる。
【００２５】
さらに、図２を参照すると、前記スイング部材５００は、接続部ボールスリーブ５２０と、ストッパボールスリーブ５１０とを含み、前記ストッパボールスリーブ５１０は前記接続部ボールスリーブ５２０の上端に接続され、前記ストッパボールスリーブ５１０は前記接続部ボールスリーブを前記接続ヘッド１１０にストッピングする。
【００２６】
さらに、図３を参照すると、前記ネットカバー２の裏側に貫通孔２４０が設けられ、前記貫通孔２４０は前記装着チャンバ２００に連通し、前記接続ヘッド１１０は前記貫通孔２４０を通って前記装着チャンバ２００内に突出する。
【００２７】
さらに、前記トグル孔１０１の中心線と鉛直方向とのなす角度は１８°〜２２°である。本実施例では、当該構成は前記レバー８１０にトグル孔１０１が干渉することなく、前記扇風機パワーヘッド３００の主軸を水平に近い位置までスイングさせて、人体に直接吹き付けることができる。さらに、前記トグル孔１０１の中心線と鉛直方向とのなす角度は２０°であり、扇風機パワーヘッド３００の主軸を水平位置までスイングさせる。
【００２８】
さらに、図２を参照すると、前記レバー８１０の軸線と前記扇風機パワーヘッド３００の軸線とのなす角度βは２２°〜２８°である。本実施例では、前記トグル孔１０１の中心線と鉛直方向とのなす角度が１８°〜２２°であることに基づいて、前記扇風機パワーヘッド３００の主軸を縦方向近くまでスイングさせる。そのため、前記扇風機パワーヘッド３００をほぼ鉛直上向きに、且つほぼ水平に送風が可能となり、それにより立体的な送風が実現される。具体的には、前記トグル孔１０１の中心線と鉛直方向とのなす角度は２０°であり、前記レバー８１０の軸線と前記扇風機パワーヘッド３００の軸線とのなす角度は２５°であり、本実施例では、前記扇風機パワーヘッド３００は水平から鉛直に転向するとき、前記トグル孔１０１は前記レバー８１０に干渉することなく、前記扇風機パワーヘッド３００を水平から左上方に傾斜し、そして鉛直上向きにスイング可能であり、鉛直上向きから右上方に傾斜し、そして水平状態に戻るようにスイング可能であり、それにより３次元立体空間の循環的な送風を実現する。
【００２９】
さらに、前記トグル孔１０１は丸孔であり、前記レバー８１０の横断面は楕円状である。本実施例では、レバー８１０により回転する時、レバー８１０がトグル孔１０１の内壁に接触するが、扇風機パワーヘッド３００が鉛直上向きの場合、楕円状の前記レバー８１０の小径と大径がいずれもトグル孔１０１の内壁に接触するため、前記扇風機パワーヘッド３００が鉛直上向きから水平に転向するとき、前記扇風機パワーヘッド３００と前記ネットカバー２００が急に落下してフラストレーションを引き起こすことを防止し、それにより運転全体の円滑性を確保することができる。
【００３０】
さらに、前記支持台１００内に回転機構９００がさらに設けられており、前記回転機構９００は前記扇風機パワーヘッド３００及び前記ネットカバー４００を３６０°回転するように駆動するために用いられる。
【００３１】
さらに、図４を参照すると、前記支持台１００は、さらに、ベース１３０を含む。前記支持柱１２０の下端が前記ベース１３０に回転可能に接続され、前記支持柱１２０は中空構造であるため、前記支持柱１２０に電源線と制御線孔を通過させて、前記扇風機パワーヘッド３００と前記モーター７００に接続される。前記支持柱１２０の底部に接続柱１３１がさらに設けられ、前記接続柱１３１は前記支持柱１２０の軸心に対して偏心した状態で設けられ、前記回転機構９００は、前記ベース１１０内に設けられた回転モーター９１０と、前記回転モーター９１０の回転軸に接続された第１のリンク９２０と、一端が前記第１のリンク９２０に回転可能に接続され、他端が前記接続柱１３１に回転可能に接続された第２のリンク９３０とを備える。前記回転モーター９００により第１のリンク９２０を駆動して運転させ、第１のリンク９１０は第２のリンク９２０により支持柱１２０を引っ張って回転させる。
【００３２】
さらに、図１と図２を参照すると、前記扇風機パワーヘッド３００は、装着ハウジング３００と、扇風機モーター３１０と、扇風機の羽根３２０とを備える。前記扇風機モーター３１０は前記装着ハウジング３００内に設けられ、且つ前記扇風機モーター３１０の回転軸は前記装着ハウジング３００を貫通し、前記扇風機の羽根３２０は前記扇風機モーター３１０の回転軸に設けられ、前記装着ハウジング３００は前記装着チャンバ２００の端部に固着される。
【００３３】
本考案は、上記の具体的な実施形態に限定されるものではなく、創造的な労力をせずに、上記の考えに基づいて当業者によって行われた様々な変更は、いずれも本考案の保護範囲に含まれる。
【図１】
0003226152.tif 000003
【図２】
0003226152.tif 000004
【図３】
0003226152.tif 000005
【図４】
0003226152.tif 000006
【図５】
0003226152.tif 000007
【図６】
0003226152.tif 000008
【図７】
0003226152.tif 000009